(57)【要約】【課題】機器からの処理要求に対して各ユーザに適した処理の実行を可能とすること。【解決手段】無線受信装置と無線通信を行う無線送信装置において、前記無線受信装置との認証を行う認証手段と、前記認証手段による前記無線受信装置との認証が所定の時間行われなかった場合、前記無線受信装置との認証が行われなかったことを通知する通知手段とを有する。【選択図】図３
2015109545.tif 000002
【特許請求の範囲】
【請求項１】
無線受信装置と無線通信を行う無線送信装置において、
前記無線受信装置との認証を行う認証手段と、
前記認証手段による前記無線受信装置との認証が所定の時間行われなかった場合、前記無線受信装置との認証が行われなかったことを通知する通知手段と、
を有することを特徴とする無線送信装置。
【請求項２】
前記通知手段は、鳴動によることを特徴とする請求項１記載の無線送信装置。
【請求項３】
無線通信ネットワークに接続する接続手段と、
前記接続手段によって接続された無線通信ネットワークに接続されている前記無線受信装置を検知する検知手段と、
を有し、
前記認証手段は、前記検知手段によって前記無線受信装置が検知された場合、当該無線受信装置との認証を行うことを特徴とする請求項１又は２記載の無線送信装置。
【請求項４】
前記通知手段は、前記検知手段によって前記無線受信装置の検知が所定の時間行われなかった場合、前記無線受信装置が検知されなかったことを通知することを特徴とする請求項３記載の無線送信装置。
【請求項５】
前記認証手段による前記無線受信装置との認証が所定の時間行われなかったことを記憶する記憶手段を有し、
前記記憶手段に前記無線受信装置との認証が行われなかったことが記憶されている場合、前記通知手段による通知を、当該無線送信装置の起動時に行うことを特徴とする請求項１乃至３のいずれか１項に記載の無線送信装置。
【請求項６】
情報処理装置に対して着脱可能であり、
前記記憶手段に前記無線受信装置との認証が行われなかったことが記憶されている場合、前記通知手段による通知を、当該無線送信装置が前記情報処理装置に装着された際に行うことを特徴とする請求項５に記載の無線送信装置。
【請求項７】
無線送信装置と無線受信装置とが無線通信を行う無線通信システムであって、
前記無線送信装置は、
前記無線受信装置との認証を行う第一の認証手段と、
前記第一の認証手段による前記無線受信装置との認証が所定の時間行われなかった場合、前記無線受信装置との認証が行われなかったことを通知する通知手段と、
を有し、
前記無線受信装置は、
前記無線送信装置との認証を行う第二の認証手段、
を有することを特徴とする無線通信システム。
【発明の詳細な説明】
【技術分野】
【０００１】
本発明は、無線送信装置及び無線通信システムに関する。
【背景技術】
【０００２】
画像を無線伝送する無線伝送装置が、現在、複数商品化されている。無線伝送装置は、ＰＣ等の画像データを提供する機器に接続される送信機と、プロジェクタ等の画像データを出力する機器に接続される受信機とに物理的に分割されており、送信機と受信機の間を無線通信によって画像を伝送することが既に知られている。（例えば、特許文献１参照）。
【発明の概要】
【発明が解決しようとする課題】
【０００３】
従来の画像無線伝送装置において、プロジェクタ等の室内に設置されている機器に受信機が接続され、ユーザの各々が管理するＰＣに送信機が接続されるような場合、ユーザが誤って送信機を返却し忘れるという問題があった。また、送信機が高性能な機器であることから盗難されやすいという問題があった。
【０００４】
本発明の一実施形態は、無線送信機の返却し忘れ又は盗難の発生を低減することを目的とする。
【課題を解決するための手段】
【０００５】
一実施形態によれば、無線受信装置と無線通信を行う無線送信装置であって、前記無線受信装置との認証を行う認証手段と、前記認証手段による前記無線受信装置との認証が所定の時間行われなかった場合、前記無線受信装置との認証が行われなかったことを通知する通知手段とを有することを特徴とする無線送信装置が提供される。
【発明の効果】
【０００６】
本発明の一実施形態によれば、無線送信機の返却し忘れ又は盗難の発生を低減することができる。
【図面の簡単な説明】
【０００７】
【図１】第一の実施形態における無線画像送受信システムの配置例の図である。
【図２】第一の実施形態における無線画像送受信システムの画像送信機の図である。
【図３】第一の実施形態における無線画像送受信システムの画像受信機の図である。
【図４】第一の実施形態における無線画像送受信システムの画像送信機のブロック図の図である。
【図５】第一の実施形態における無線画像送受信システムの画像受信機のブロック図の図である。
【図６】第一の実施形態における無線画像送受信システムの接続動作とブザー鳴動の手順の図である。
【図７】第二の実施形態における無線画像送受信システムの接続動作とブザー鳴動の手順の図である。
【発明を実施するための形態】
【０００８】
本発明の一実施形態について説明する。本発明の一の実施形態は、ＰＣ等の画像データを提供する機器と、プロジェクタ等の画像データを出力する機器との間を無線伝送するための無線受信機と無線送信機とを有する無線通信システムであって、以下の特徴を有する。
【０００９】
無線通信システムにおいて、無線送信機が、無線受信機を所定の時間発見できない場合又は、無線受信機との認証に成功しない場合は、例えばブザーを鳴動させ、ユーザに通知することができる。
【００１０】
以下、図面に基づいて本発明の実施の形態について説明する。
【００１１】
図１は、第一の実施形態における無線画像送受信システムの配置例について説明する図である。
【００１２】
本発明の一実施形態の無線通信システムには、無線受信装置と無線送信装置とが含まれる。また、画像受信機０１０３及び画像受信機０３０４は、無線受信装置の一例であり、画像送信機０１０７及び画像送信機０２０５は、無線送信装置の一例である。また、無線画像送受信システムは、無線通信システムの一例である。
【００１３】
画像送受信システムは、画像生成元であり、画像データを提供するソース機器と、ソース機器から提供された画像データを出力するためシンク機器とが含まれる。ソース機器としては、ユーザの各々が管理するＰＣ（Ｐｅｒｓｏｎａｌ  Ｃｏｍｐｕｔｅｒ）１０９等の情報処理装置の場合が挙げられる。また、シンク機器は、プロジェクタなど室内に設置されている画像出力先の機器である。プロジェクタ０１０１を画像出力先として以下に説明する。ソース機器とシンク機器の間は、通常は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等の通信ケーブルで接続されている。
【００１４】
本発明の一実施形態の無線通信システムは、ソース機器とシンク機器間のフレキシビリティを向上させるため、二つの機器間を無線通信で接続するものである。従って、無線通信システムを組み込んだ無線画像送受信システムは、以下の機器等を含んでいる。プロジェクタ０１０１、プロジェクタと画像受信機０１０３を接続するＨＤＭＩケーブル０１０２、画像受信機０１０３、画像送信機０１０７、画像送信機０１０７とＰＣ１０９を接続するＨＤＭＩケーブル０１０８、ＰＣ０１０９等。
【００１５】
なお、画像受信機０１０３と画像送信機０１０７は、ソース機器やシンク機器に着脱可能である。ここでは、画像受信機０１０３とプロジェクタ０１０１との接続をＨＤＭＩケーブル０１０２として接続しているが、画像受信機０１０３のＨＤＭＩインタフェースをプロジェクタのＨＤＭＩインタフェースに直接、装着して使用できる構成としても良い。同様に、画像送信機０１０７とＰＣ０１０９との接続をＨＤＭＩケーブル０１０８として接続しているが、画像送信機０１０７のＨＤＭＩインタフェースをＰＣ０１０９のＨＤＭＩインタフェースに直接、装着して使用できる構成としても良い。
【００１６】
無線画像送受信システムでは、画像受信機０１０３と画像送信機０１０７との間が、無線通信により接続されている。画像受信機０１０３のアンテナ０１０４と、画像送信機０１０７のアンテナ０１０６との間では、無線通信の方式の一例であるＵＷＢ（Ｕｌｔｒａ  Ｗｉｄｅ  Ｂａｎｄ）通信によって接続されている。無線画像送受信システムでは、ＵＷＢ通信により、無線によるＰＡＮ（Ｐｅｒｓｏｎａｌ  Ａｒｅａ  Ｎｅｔｗｏｒｋ）が構築される。ＰＡＮでは、制御コマンドや画像データが送受信されている。なお、無線通信方式に関しては、ＵＷＢ通信に限定されるものではなく、他の通信方式を用いても良い。
【００１７】
また、画像受信機０１０３は、ＨＤＭＩインタフェースを介してプロジェクタ０１０１などの画像出力先に接続される。画像送信機０１０７は、ＨＤＭＩインタフェースを介してＰＣ１０９などの画像生成元に接続される。なお、それぞれのＨＤＭＩインタフェースは、ＨＤＭＩケーブル０１０２及びＨＤＭＩケーブル０１０８によって接続される。
【００１８】
すなわち、無線画像送受信システムは、画像データを画像インタフェースから取得し、それを画像送信機０１０７より無線で伝達して、画像受信機０１０３で画像化し、画像インタフェースから画像出力機器へ伝達するシステムである。
【００１９】
図２は、第一の実施形態における無線画像送受信システムの画像送信機０２０５について説明する図である。
【００２０】
図２は、無線画像送受信システムの画像送信機０２０５の外観を示した図であり、図１における画像送信機０１０７の詳細な外観を表した図である。
【００２１】
画像送信機０２０５は、画像データの入力を受ける画像入力インタフェース０２０１を有する。図１の説明では、画像入力インタフェース０２０１をＨＤＭＩインタフェースとして説明したが、これに限定されるものではない。画像データを入力するためのインタフェースは、画像出力先のＰＣから画像データを受信できれば良く、専用のインタフェースであっても良いし、他のインタフェース等であっても良い。
【００２２】
また、画像送信機０２０５を画像送信ユニットとしてソース機器等に組み込んで使用する場合は、画像送信ユニットとソース機器間をデータバスで直接接続するようにし、画像入力インタフェース０２０１を使用しない構成としても良い。
【００２３】
また、画像送信機０２０５は、画像入力インタフェース０２０１から受信した画像データを出力するかどうかを操作するための送信開始・停止ボタン０２０２を有しても良い。ソース機器の電源が入っていない時、又はソース機器で提供する画像データを選択している時などに、ユーザが、送信開始・停止ボタン０２０２を押すことで、ユーザ操作画面等をシンク機器に表示しないようにしたり、再度表示させたりできるスイッチである。ユーザの好きなタイミングで画像データの表示／非表示が可能である。図２では、画像送信機０２０５の本体の上部に送信開始・停止ボタン０２０２を設けてユーザが直接操作するようにしているが、送信開始・停止ボタン０２０２と同じ機能を実現するプログラムを画像送信機０２０５に保存するようにしても良い。そして、送信開始・停止ボタン０２０２と同じ機能を実現したい場合は、ソース機器等から画像送信機０２０５に対して、機能実行のコマンドを送信することにより、画像データの表示／非表示が可能になるようにしても良い。
【００２４】
また、画像送信機０２０５と画像受信機０３０４の認証に使用する認証ボタン０２０３を有しても良い。認証ボタン０２０３は、例えば、画像送信機０２０５を１台、新しく追加した場合、現在使用しているＵＷＢ通信のＰＡＮに接続できるように登録するために用いられても良い。また、無線画像送受信システムにおいて、稼働している画像受信機０３０４と接続して通信を行えるようにするための認証にも使用しても良い。また、画像送信機０２０５が画像受信機０３０４と認証できなかった場合、又は認証途中で切断状態になってしまった場合等、画像送信機０２０５は、低消費電力での待機状態であるスリープモードに移行する。このとき、画像送信機０２０５をスリープモードから通常モードに復帰させ、再度認証をチャレンジさせる場合等に、認証ボタン０２０３を用いても良い。
【００２５】
なお、図２では、画像送信機０２０５の本体の上部に認証ボタン０２０３を設けてユーザが直接操作するようにしているが、認証ボタン０２０３と同じ機能を実現するプログラムを画像送信機０２０５に保存するようにしても良い。そして、認証ボタン０２０３と同じ機能を実現したい場合は、ソース機器等から画像送信機０２０５に対して、機能実行のコマンドを送信することにより、認証が可能になるようにしても良い。
【００２６】
また、認証に使用する鍵情報又はＰＩＮ（Ｐｅｒｓｏｎａｌ  Ｉｄｅｎｔｉｆｉｃａｔｉｏｎ  Ｎｕｍｂｅｒ）コード（認証のためのデバイス間で共有する秘密の値）等を画像送信機０２０５の内部にあらかじめ保持させるようにしても良い。また、認証に使用する鍵情報又はＰＩＮコード等を画像送信機０２０５の外部から受け渡すための認証用メモリカード０３０６を挿入する認証用メモリ挿入口０２０６を有しても良い。
【００２７】
なお、認証方法の一例として、ＰＩＮコードを用いた認証方法について説明する。
【００２８】
認証を行う場合、画像送信機０２０５と画像受信機０３０４は、相互に認証を実行する。
具体的には、画像送信機０２０５と画像受信機０３０４の両者がＰＩＮコードという秘密の文字列を内部に記憶しており、その値が相互に同じ値かどうかを判断して同一であれば相手の認証が成功するという方式である。
【００２９】
また、画像送信機０２０５は、画像データを無線伝送するためのアンテナ０２０４を有している。
【００３０】
また、画像送信機０２０５は、返却し忘れ又は盗難の発生を低減するための通知手段の一例として、ブザーの鳴動口０２０７を有しても良い。
【００３１】
図３は、第一の実施形態における無線画像送受信システムの画像受信機０３０４について説明する図である。
【００３２】
図３は、無線画像送受信システムにおける画像受信機０３０４の外観を示した図であり、図１における画像受信機０１０３の詳細な外観を表した図である。画像受信機０３０４は、無線によって到達した画像データを復号化し、画像データとして出力する画像出力インタフェース０３０１を有している。図１の説明では、画像データを出力する画像出力インタフェース０３０１を、ＨＤＭＩインタフェースとしたがこれに限定されるものではない。画像データを出力するためのインタフェースであり、画像入力先のプロジェクタや他の画像出力装置へ画像データを送信できれば良く、専用のインタフェースであっても良いし、他のインタフェース等であっても良い。また、画像受信機０３０４を画像受信ユニットとしてシンク機器等に組み込んで使用する場合は、画像受信ユニットとシンク機器間をデータバスで直接接続するようにし、画像出力インタフェース０３０１を使用しない構成としても良い。
【００３３】
また、画像受信機０３０４は、画像送信機０２０５と画像受信機０３０４との認証に使用する認証ボタン０３０２有するようにしても良い。
【００３４】
認証ボタン０３０２は、例えば、画像受信機０３０４を１台、新しく追加した場合、現在使用しているＵＷＢ通信のＰＡＮに接続できるように登録するために用いられ得る。また、無線画像送受信システムにおいて、稼働している画像送信機０２０５と接続して通信を行えるようにするための認証にも使用され得る。画像受信機０３０４は、１台の画像送信機０２０５に複数台同時に接続することが可能であり、画像送信機０２０５に接続されたソース機器からの同じ画像データを、複数の画像受信機０３０４に接続された異なる複数のシンク機器に出力することができる。図３では、画像受信機０３０４の本体の上部に認証ボタン０３０２を設けてユーザが直接操作するようにしているが、認証ボタン０３０２と同じ機能を実現するプログラムを画像受信機０３０４に保存するようにしても良い。そして、認証ボタン０３０２と同じ機能を実現したい場合は、認証のための認証用メモリカード０３０６が認証用メモリ挿入口０３０５に挿入されると、認証が可能になるようにしても良い。
【００３５】
また、画像受信機０３０４には、認証に使用する鍵情報又はＰＩＮコード等を画像受信機０３０４の内部にあらかじめ保持させるようにしても良い。また、認証に使用する鍵情報又はＰＩＮコード等を画像受信機０３０４の外部から受け渡すための認証用メモリカード０３０６を挿入する認証用メモリ挿入口０３０５を有するようにしても良い。
【００３６】
また、画像受信機０３０４において、画像送信機０２０５との認証コード（画像送信機０２０５・画像受信機０３０４で共有する秘密の数列、例えばＰＩＮコード）をリセットするのに認証ボタン０３０２を使用するようにしても良い。リセット後の新しい数列は、画像受信機０３０４によって作成する。作成された認証コードは、認証用メモリカード３０６を用いて画像送信機０２０５に保持するようにしても良い。なお、ここでは、認証コードのリセットと発行を画像受信機０３０４で行うように記載したが、画像送信機０２０５で行っても良い。更には、インターネットに接続されたサーバによって認証コードを一元管理して、ユーザに提供するようにしても良い。
【００３７】
また、画像受信機０３０４は、無線による画像データを受信するためのアンテナ０３０３を有している。
【００３８】
図４は、第一の実施形態における無線画像送受信システムの画像送信機０２０５のブロック図について説明する図である。
【００３９】
ソース機器から入力された画像データは、画像送信機０２０５のＨＤＭＩインタフェース対応の入力回路０４０９を介して受信される。画像送信機０２０５は、受信された画像データを所定のフォーマットに変換し、画像受信機０３０４へ無線通信にて送信することが主な役割となる。入力回路０４０９で受信したデータは、音声圧縮回路０４０７と、動画圧縮規格対応の画像圧縮回路０４０８又は静止画圧縮規格対応の画像圧縮回路０４１１と、に転送され、無線伝送可能な形式に圧縮される。なお、動画圧縮手法としては、Ｈ.２６４圧縮、静止画圧縮方法としては、ＪＰＥＧ（Ｊｏｉｎｔ  Ｐｈｏｔｏｇｒａｐｈｉｃ  Ｅｘｐｅｒｔｓ  Ｇｒｏｕｐ）圧縮が用いられても良い。これらの画像圧縮回路は、ユーザからの要求や画像の性質に合わせて選択可能となっており、どちらか一方が選択される。
【００４０】
これらの圧縮回路によって圧縮された音声データと画像データは、ＭＰＥＧ−ＴＳ（Ｍｏｖｉｎｇ  Ｐｉｃｔｕｒｅ  Ｅｘｐｅｒｔｓ  Ｇｒｏｕｐ−Ｔｒａｎｓｐｏｒｔ  Ｓｔｒｅａｍ）データ化回路０４０６を経て、音声データと画像データの同期がとられたＭＰＥＧ−ＴＳに変換される。ＭＰＥＧ−ＴＳのデータは、無線経路のＭＡＣ（Ｍｅｄｉａ  Ａｃｃｅｓｓ  Ｃｏｎｔｒｏｌ）回路０４０５を経て、ＰＨＹ（ＰＨＹｓｉｃａｌ  ｌａｙｅｒ）／ＲＦ（Ｒａｄｉｏ  Ｆｒｅｑｕｅｎｃｙ）回路０４１０を介し、そこに接続されたアンテナ０４０１から出力される。
【００４１】
また、画像送信機０２０５は、動画像の制御及びそのための制御命令の送受信を行う制御命令送受信回路０４０２を有する。なお、制御命令送受信回路０４０２には、ユーザからの伝送開始・停止の要求を受け取るための再生・停止ボタン０４０３が接続されている。また、制御命令送受信回路０４０２は、無線チャネルＭＡＣ回路０４０５を介して、画像受信機０３０４に対して、制御命令の送受信を行うことができる。
【００４２】
また、画像送信機０２０５は、ＣＰＵから直接制御されるブザー０４１２も有している。
【００４３】
図５は、第一の実施形態における無線画像送受信システムの画像受信機０３０４のブロック図について説明する図である。
【００４４】
画像受信機０３０４は、電波を介して到着したデータを復号化し、映像データとして映像インタフェースから出力するのが主な役割である。
【００４５】
そのため、画像受信機０３０４は、画像送信機０２０５のアンテナ０４０１から放射される電波を、アンテナ０５０９で受信し、無線ＰＨＹ／ＲＦ回路０５０８を経て、無線ＭＡＣ回路で、データを受信する。到着したデータは、画像送信機０２０５によってＭＰＥＧ−ＴＳに変換されているため、データの分離回路０５０４を経て、圧縮された音声データと、圧縮された画像データに分離される。圧縮された音声データは、音声伸張回路０５０２により復号される。また、圧縮された画像データは、動画なのか静止画なのかにより、動画圧縮規格対応の画像伸張回路０５０３又は静止画圧縮規格対応の画像伸張回路０５１０のどちらかに送られ、復号される。復号された音声データと画像データは、同期がとられ、ＨＤＭＩ出力回路０５０１を経て、ＨＤＭＩ通信インタフェースに出力される。
【００４６】
なお、この実施例では画像伸張方式としては、動画像圧縮規格のＨ.２６４圧縮および静止画像圧縮規格のＪＰＥＧ圧縮に対応するそれぞれの画像伸張回路が搭載されており、画像データの種類により、どちらか一方を選択可能となっている。しかし、経済的なメリットも考慮し、画像受信機０３０４の画像伸張回路は、実際には、画像送信機０２０５のエンコード方式に適合した動画又は静止画の一方のみを搭載するようにしても良い。
【００４７】
また、画像受信機０３０４は、動画像の再生状態を制御するため、制御命令送受信回路０５０６を有している。制御命令送受信回路０５０６は、動画像制御コマンドの送受信やそれに応じた全体システムの制御を行う。
【００４８】
図６は、第一の実施形態における無線画像送受信システムの接続動作とブザー鳴動の手順について説明する図である。
【００４９】
尚、本発明の第一の実施形態では、無線画像送受信システムは、ビーコンを主とした無線通信ネットワークへの接続を考慮して以下説明する。各画像送信機０２０５又は各画像受信機０３０４は、ビーコンが送信されていれば、其のビーコンに同期を合わせて、通信を行う。また、各画像送信機０２０５又は各画像受信機０３０４は、起動後、所定の時間の間、ビーコンが受信できなかった場合、自分自身が所定の間隔でビーコンを送信し、無線通信ネットワークを立ち上げる。ビーコンに同期した画像送信機０２０５と画像受信機０３０４とが無線通信する無線通信システムである。また、画像送信機０２０５には、画像送信機０２０５の返却し忘れを通知し、盗難の発生を低減するための警告ブザーが付いている。以下に、画像送信機が、無線画像送受信システムへ接続する動作手順と、警告ブザーの鳴動手順について詳細に説明する。
【００５０】
ユーザは、無線画像送受信システムへ接続するため、画像送信機０２０５の電源を投入し、画像送信機０２０５を起動させる（ステップＳ０６０１）。
【００５１】
起動した画像送信機０２０５は、無線画像送受信システムの無線通信ネットワークに接続するため、無線通信ネットワークで使用されている周波数帯の電波を所定の時間の間、スキャンし、ビーコンを検知する（ステップＳ０６０２）。
【００５２】
続いて、画像送信機０２０５は、ビーコンを検知した結果、所望のビーコンがあるかどうかを確認する（ステップＳ０６０３）。
【００５３】
画像送信機０２０５は、所望のビーコンがある場合は、そのビーコンに同期する（ステップＳ０６０４）。
【００５４】
所望のビーコンがない場合、画像送信機０２０５は、自分自身でビーコンを所定の間隔で送信し、無線通信ネットワークを立ち上げる（ステップＳ０６０５）。
【００５５】
続いて、画像送信機０２０５は、ビーコンで構築された無線通信ネットワークに接続されている画像受信機０３０４があるかどうかについて検知手段を用いて検知を開始する。画像送信機０２０５の検知手段は、画像受信機０３０４の検知を開始した際に、検知している時間を計測するためのタイマーを起動する（ステップＳ０６０６）。
【００５６】
画像送信機０２０５は、所望の画像受信機０３０４があるかどうかを確認する（ステップＳ０６０７）。
【００５７】
所望の画像受信機０３０４を発見した場合、画像送信機０２０５は、所望の画像受信機０３０４に対して接続可能かどうかの認証を行う（ステップＳ０６０８）。
【００５８】
認証に成功した場合、画像送信機０２０５は、通常通り起動して、画像送信機０２０５と画像受信機０３０４間で、無線通信ネットワークを用いて、画像データの送受信を行う（ステップＳ０６１０）。
【００５９】
所望の画像受信機０３０４が発見できない場合、又は、認証に失敗した場合、画像送信機０２０５は、検知手段のタイマーを確認し、画像受信機０３０４の捜索を開始してから所定の時間経過したかどうかを判断する（ステップＳ０６０９）。
【００６０】
検知手段のタイマーが所定の時間を経過していない場合、画像送信機０２０５は、再度、ステップＳ０６０６の画像受信機０３０４の捜索を継続する。なお、このとき、検知手段のタイマーは継続したままにする。
【００６１】
検知手段のタイマーが所定の時間を経過し、画像受信機０３０４の検知できない状態や認証の失敗状態が所定の時間継続した場合、画像送信機０２０５は、検知手段のタイマーをリセットして、ブザー０４１２を鳴動させ、ユーザに通知する（ステップＳ０６１１）。なお、画像受信機０３０４の検知できない状態が所定の時間継続しているということは、画像受信機０３０４との認証が所定の時間行われない状態が継続していることでもある。
【００６２】
以上のステップを実行することにより、画像送信機０２０５の返却忘れ又は盗難の発生を低減する。
【００６３】
なお、ビーコンは、画像受信機０３０４も画像送信機０２０５もどちらも送信することができる。ビーコンが存在しないということは、受信可能な画像受信機０３０４も存在しないことと同義である。このため、ビーコンが存在しない場合、自分自身がビーコンを送信する（ステップＳ０６０５）のをやめて、ビーコンが送信されるのを待ち、ビーコンが存在しない時間が所定以上経過したら例えばブザーを鳴動するようにしても良い。
【００６４】
図７は、第二の実施形態における無線画像送受信システムの接続動作とブザー鳴動の手順について説明する図である。
【００６５】
図７の第二の実施形態では、盗難の発生を低減する効果を更に高めた無線画像送受信システムの接続動作とブザー鳴動フローとなっている。
【００６６】
ユーザは、無線画像送受信システムへ接続するため、画像送信機０２０５の電源を投入し、画像送信機０２０５を起動させる（ステップＳ０７０１）。
【００６７】
起動した画像送信機０２０５は、無線画像送受信システムの無線通信ネットワークに接続するため、無線通信ネットワークで使用されている周波数帯の電波を所定の時間の間、スキャンし、ビーコンを検知する（ステップＳ０７０２）。
【００６８】
続いて、画像送信機０２０５は、ビーコンを検知した結果、所望のビーコンがあるかどうかを確認する（ステップＳ０７０３）。
【００６９】
画像送信機０２０５は、所望のビーコンがある場合は、そのビーコンに同期する（ステップＳ０７０４）。
【００７０】
所望のビーコンがない場合、画像送信機０２０５は、自分自身でビーコンを所定の間隔で送信し、無線通信ネットワークを立ち上げる（ステップＳ０７０５）。
【００７１】
続いて、画像送信機０２０５は、ビーコンで構築された無線通信ネットワークに接続されている画像受信機０３０４があるかどうかについて、検知手段を用いて検知を開始する。画像送信機０２０５の検知手段は、画像受信機０３０４の検知を開始した際に、検知している時間を計測するためのタイマーを起動する（ステップＳ０７０６）。
【００７２】
画像送信機０２０５は、所望の画像受信機０３０４があるかどうかを確認する（ステップＳ０７０７）。
【００７３】
所望の画像受信機０３０４を発見した場合、画像送信機０２０５は、所望の画像受信機０３０４に対して接続可能かどうかの認証を行う（ステップＳ０７０８）。
【００７４】
認証に成功した場合、画像送信機０２０５は、不揮発性メモリから受信機不明コードを削除する。なお、不揮発記憶とは、不揮発性メモリのことである。また、受信機不明コードは、画像受信機０３０４の発見の失敗又は認証の失敗の状態が所定の時間継続したことを表すコードである（ステップＳ０７２０）
画像送信機０２０５は、通常通り起動して、画像送信機０２０５と画像受信機０３０４間で、無線通信ネットワークを用いて、画像データの送受信を行う（ステップＳ０７２１）。
【００７５】
所望の画像受信機０３０４が発見できない場合、又は、認証に失敗した場合、画像送信機０２０５は、検知手段のタイマーを確認し、画像受信機０３０４の捜索を開始してから所定の時間経過したかどうかを判断する（ステップＳ０７０９）。
【００７６】
検知手段のタイマーが所定の時間を経過していない場合、画像送信機０２０５は、再度、ステップＳ０７０６の画像受信機０３０４の捜索を継続する。なお、このとき、検知手段のタイマーは継続したままにする。
【００７７】
検知手段のタイマーが所定の時間を経過し、画像受信機０３０４の検知できない状態や認証の失敗状態が所定の時間継続した場合、画像送信機０２０５は、検知手段のタイマーをリセットする。続いて、画像送信機０２０５は、不揮発性メモリに受信機不明コードを記述して保存し、画像送信機０２０５を再起動させる（ステップＳ０７３１）。なお、画像受信機０３０４の検知できない状態が所定の時間継続しているということは、画像受信機０３０４との認証が所定の時間行われない状態が継続していることでもある。
【００７８】
無線通信を行うための接続フローとは平行して、画像送信機０２０５のブザー０４１２を鳴動させるフローは、実行される。ブザー０４１２を鳴動させる回路には、画像送信機０２０５の画像入力インタフェース０２０１からも電源供給がされている。画像送信機０２０５とソース機器がＨＤＭＩケーブルで接続されると、ブザー０４１２を鳴動させる回路には、画像入力インタフェース０２０１を介してソース機器から電力が供給され、ブザー０４１２を鳴動させる回路が起動する（ステップＳ０８０１）。
【００７９】
画像送信機０２０５のブザー０４１２を鳴動させる回路は、不揮発性メモリに受信機不明コードが記述されているかどうかを確認する（ステップＳ０８０２）。
【００８０】
画像受信機０３０４を発見できなかったという記録（受信機不明コード）がある場合、画像送信機０２０５のブザー０４１２を鳴動させる回路は、ブザー０４１２を鳴動させる（ステップＳ８０３）。
【００８１】
画像受信機０３０４を発見できなかったという記録（受信機不明コード）がない場合、画像送信機０２０５のブザー０４１２を鳴動させる回路は、ブザー０４１２を停止する（ステップＳ０８０４）。
【００８２】
なお、このステップＳ０８０２の不揮発性メモリを確認するステップと、ステップＳ０８０３とステップＳ０８０４のブザー制御に関するステップは、画像入力インタフェース０２０１にソース機器が接続されている状態では常時行う。
【００８３】
これによって、過去に画像受信機０３０４を発見できなかった場合、画像送信機０２０５は、発見できなかったという記録（受信機不明コード）を不揮発性メモリに記述する。画像送信機０２０５の画像入力インタフェース０２０１にソース機器が接続されると、ブザー０４１２を鳴動させる回路には電力が供給され、不揮発性メモリの記述内容によりブザー０４１２が鳴動されるため、更に盗難の発生を低減する効果が高まることが見込まれる。
【００８４】
本発明の第一の実施形態によれば、画像送信機０２０５は、通信セキュリティを維持するために通信初期段階で認証を行う。その認証が所定の時間成功しない場合は、画像送信機０２０５の内部バッテリーないしは、画像送信機０２０５の接続インタフェースからの電源供給を使用してブザーを鳴動させるので、画像送信機０２０５を返却し忘れ又は盗難の発生を低減することができる。
【００８５】
また、本発明の第二の実施形態によれば、画像送信機０２０５は、画像受信機０３０４に接続できたかどうかの結果が本体に記録され、それに応じてブザーが鳴動する。このため、画像受信機０３０４の検知ができない状態や認証の失敗状態が所定の時間継続した結果が記憶されている場合、画像送信機０２０５は、ブザーを鳴動させる回路に電力が供給された起動時から、ブザーを鳴動するモードになる。ブザーを鳴動するモードになった場合には、画像ソース機器と接続するだけでブザーが鳴動し、画像受信機０３０４と正常に接続されるまでは、鳴動モードは解除されないようにしているので、盗難の発生を低減する効果をさらに高めることができる。
【００８６】
また、本発明の第一の実施形態と第二の実施形態の無線画像送受信システムでは、ビーコンを主とした無線通信ネットワークへの接続を考慮して以下説明しているが、ビーコンを使用せず、画像送信機と画像受信機とが、直接的に通信を行う方式を用いても良い。
【００８７】
また、前述した第一の実施形態と第二の実施形態で説明した制御処理を実現するためのプログラムを記録媒体に記録することで、各実施形態での処理をコンピュータに実施させることができる。
【００８８】
また、このプログラムを記録媒体に記録し、このプログラムが記録された記憶媒体をコンピュータや携帯端末装置に読み取らせて、前述した制御処理を実現させることも可能である。なお、記録媒体は、ＣＤ−ＲＯＭ、フレキシブルディスク、光磁気ディスク等の様に情報を電気的に記録する半導体メモリ等、様々なタイプの記録媒体を用いることができる。
【００８９】
以上、本発明の実施例について詳述したが、本発明は斯かる特定の実施形態に限定されるものではなく、特許請求の範囲に記載された範囲内において、種々の変形・変更が可能である。
【符号の説明】
【００９０】
０１０３      画像受信機
０１０４      アンテナ
０１０６      アンテナ
０１０７      画像送信器
０２０１      画像入力Ｉ／Ｆ
０２０２      送信開始・停止ボタン
０２０３      認証ボタン
０２０４      アンテナ
０２０５      画像送信機
０２０６      認証用メモリ挿入口
０２０７      ブザー鳴動口
０３０１      画像出力Ｉ／Ｆ
０３０２      認証ボタン
０３０３      アンテナ
０３０４      画像受信機
０３０５      認証用メモリ挿入口
０３０６      認証用メモリカード
０４０１      アンテナ
０４０２      制御命令送受信回路
０４１２      ブザー
０５０６      制御命令送受信回路
０５０９      アンテナ
【先行技術文献】
【特許文献】
【００９１】
【特許文献１】特開２００２−０４２０８４
【図１】
2015109545.tif 000003
【図２】
2015109545.tif 000004
【図３】
2015109545.tif 000005
【図４】
2015109545.tif 000006
【図５】
2015109545.tif 000007
【図６】
2015109545.tif 000008
【図７】
2015109545.tif 000009